(57)【要約】【課題】気泡（気体）を発生させやすい液体を収容する液体収容体を装着した場合であっても、係る液体を安定に供給でき、かつ液体収容体の破損を防止することが可能なインクジェットプリンターを提供する。【解決手段】本発明に係るインクジェットプリンターは、含有成分の化学変化により経時的に気体を発生させる液体を収容する液体収容室、該液体収容室に連通し該液体を流通させる液体流通口、および該液体収容室に連通し気体を流通させる気体流通口を備える液体収容体と、前記液体流通口に連通し、該液体流通口から流出した液体を吐出する記録ヘッドと、前記気体流通口に連通し、前記液体収容体の外部に気体を流出させる気体排出手段と、を有する。【選択図】図１
2015024653.tif 000002
【特許請求の範囲】
【請求項１】
含有成分の化学変化により経時的に気体を発生させる液体を収容する液体収容室と、該液体収容室に連通し該液体を流通させる液体流通口と、および該液体収容室に連通し気体を流通させる気体流通口と、を備える液体収容体と、
前記液体流通口に連通し、該液体流通口から流出した液体を吐出する記録ヘッドと、
前記気体流通口に連通し、前記液体収容体の外部に気体を流出させる気体排出手段と、を有する、インクジェットプリンター。
【請求項２】
請求項１において、
前記含有成分の少なくとも１種は、卑金属顔料である、インクジェットプリンター。
【請求項３】
請求項２において、
前記卑金属顔料は、保護膜によって被覆されている、インクジェットプリンター。
【請求項４】
請求項１ないし請求項３のいずれか１項において、
前記気体排出手段は、弁および吸引機構を備える、インクジェットプリンター。
【請求項５】
請求項１ないし請求項４のいずれか１項において、
前回の気体の排出動作からの経過時間を計時する計時手段、および前記液体収容室内の内圧を測定する内圧測定手段の少なくとも一方を有する、インクジェットプリンター。
【請求項６】
請求項５において、
さらに制御手段を有し、
前記制御手段は、前記計時手段からの経過時間情報、および前記内圧測定手段からの内圧情報の少なくとも一方の情報に基づいて、前記気体排出手段を動作させる、インクジェットプリンター。
【請求項７】
請求項１ないし請求項６のいずれか１項において、
前記気体排出手段は、前記液体収容室内で発生した前記気体とともに前記液体収容室内部の液体を排出する、インクジェットプリンター。
【請求項８】
請求項１ないし請求項７のいずれか１項において、
前記液体収容体が前記インクジェットプリンターから取り外されて、別の液体収容体に交換された際に、
取り外された前記液体収容体の処分方法を通知する通知手段を有する、インクジェットプリンター。
【発明の詳細な説明】
【技術分野】
【０００１】
本発明は、インクジェットプリンターに関する。
【背景技術】
【０００２】
インクジェットプリンターは、ノズル孔を有する記録ヘッドと、ノズル孔からインクを吐出させる駆動手段（例えば、圧電振動子や発熱素子）と、データに応じて駆動手段を制御する制御手段とを備えている。ノズル孔へのインクの供給は、液体収容体（例えば、インクカートリッジ等）などを用いて行われ、通常、インクカートリッジは交換可能である。
【０００３】
インクジェットプリンターの記録品質は、ノズル孔の径や数などで規定される記録ヘッドのノズル密度に依存するが、その他にも、インクの種類や粘度、記録媒体上でのインクの濡れ拡がり具合等によっても影響される。
【０００４】
また、インク中に気泡や沈殿物が存在すると、ノズル孔からのインクの吐出が不安定となる場合があり、このような装置の安定性も記録品質に影響を与える場合がある。このため、例えばノズル孔からインクを吸引（クリーニングと呼ばれる）して、吐出の安定化が図られることもある。例えば、特許文献１〜３では、脱気機構が設けられたインクジェットプリンターが提案され、気泡等の排出が試みられている。これらの文献には、脱気機構によってインクに溶け込んだ気体を脱気し、安定した吐出性能を得る等の記載がある。
【先行技術文献】
【特許文献】
【０００５】
【特許文献１】特開平１１−０４８４９１号公報
【特許文献２】特開平１１−０４８４９２号公報
【特許文献３】特開平１１−０４８４９３号公報
【発明の概要】
【発明が解決しようとする課題】
【０００６】
しかしながら、インクジェット記録においては、溶存気体以外にも、気泡の原因となる事例がある。例えば、メタリック顔料の材質をアルミニウムとし分散媒体に水分が存在するようなインクの場合には、保存中あるいは使用中にアルミニウムが水と反応して気体を生じ、インク中で気泡が発生しやすくなる場合があった。そのような場合には、上述したようにノズル孔から気泡（気体）を含むインクを吸引するクリーニングを行うことがあるが、記録中には記録のためにノズル孔を使用しているため、記録と同時にクリーニングを行うことが困難であった。そのため、記録時間が長くなるにつれて、インク中で発生した気泡（気体）がノズル孔に混入する不具合が多くなる傾向にある。
【０００７】
また、このように反応によって気体を発生させやすいインクを、液体収容室が大気に対して開放されていないいわゆる密閉系の液体収容体に収容した場合、インク中で発生した気体によって液体収容室の内圧が上がることがある。そして、内圧が液体収容室や液体収容体の耐圧強度を超えると、液体収容室や液体収容体が破損してしまう恐れがある。
【０００８】
本発明の幾つかの態様に係る目的の１つは、気体（気泡）を発生させやすい液体を収容する液体収容体を装着した場合であっても、係る液体を安定に供給でき、かつ液体収容体の破損を防止することが可能なインクジェットプリンターを提供することにある。
【課題を解決するための手段】
【０００９】
本発明は、上記課題の少なくとも一部を解決するためになされたものであり、以下の態様または適用例として実現することができる。
【００１０】
［適用例１］
本発明に係るインクジェットプリンターの一態様は、
含有成分の化学変化により経時的に気体を発生させる液体を収容する液体収容室、該液体収容室に連通し該液体を流通させる液体流通口、および該液体収容室に連通し気体を流通させる気体流通口を備える液体収容体と、
前記液体流通口に連通し、該液体流通口から流出した液体を吐出する記録ヘッドと、
前記気体流通口に連通し、前記液体収容体の外部に気体を流出させる気体排出手段と、
を有する。
【００１１】
本適用例に係るインクジェットプリンターによれば、気体（気泡）を発生させやすい液体を収容する液体収容体を装着した場合であっても、係る液体を安定に供給でき、かつ液体収容体の破損を防止することができる。
【００１２】
［適用例２］
適用例１において、
前記含有成分の少なくとも１種は、卑金属顔料であることができる。
【００１３】
［適用例３］
適用例２において、
前記卑金属顔料は、保護膜によって被覆されていてもよい。
【００１４】
［適用例４］
適用例１ないし適用例３のいずれか１例において、
前記気体排出手段は、弁および吸引機構を備えていてもよい。
【００１５】
［適用例５］
適用例１ないし適用例４のいずれか１例において、
前回の気体の排出動作からの経過時間を計時する計時手段、および前記液体収容室内の内圧を測定する内圧測定手段の少なくとも一方を有することができる。
【００１６】
［適用例６］
適用例５において、
さらに制御手段を有することができ、
前記制御手段は、前記計時手段からの経過時間情報、および前記内圧測定手段からの内圧情報の少なくとも一方の情報に基づいて、前記気体排出手段を動作させることができる。
【００１７】
［適用例７］
適用例１ないし適用例６のいずれか１例において、
前記気体排出手段は、前記液体収容室内で発生した前記気体とともに前記液体収容室内部の液体を排出することができる。
【００１８】
［適用例８］
適用例１ないし適用例７のいずれか１例において、
前記液体収容体が前記インクジェットプリンターから取り外されて、別の液体収容体に交換された際に、
取り外された前記液体収容体の処分方法を通知する通知手段を有することができる。
【図面の簡単な説明】
【００１９】
【図１】本発明の一実施形態に係るインクジェットプリンターを模式的に示す斜視図。
【図２】（Ａ）は、本発明の一実施形態に係るインクジェットプリンターに装着可能な液体収容体の断面の模式図。（Ｂ）は、変形例にかかる液体収容体の断面の模式図。
【図３】本発明の一実施形態に係るインクジェットプリンターを含む機能ブロックの一例を示す図。
【図４】（Ａ）は、液体が発生させた気体の量と経過時間との関係を示すグラフ。（Ｂ）は、液体が発生させた気体の量と経過時間との関係を示すテーブルの例。（Ｃ）は、液体の種類に応じた閾値（時間）のテーブルの例。
【図５】本発明の一実施形態に係る気体排出手段の制御処理を示すフローチャートの一例。
【図６】本発明の一実施形態に係る気体排出手段の制御処理を示すフローチャートの一例。
【図７】本発明の一実施形態に係る気体排出手段の制御処理を示すフローチャートの一例。
【発明を実施するための形態】
【００２０】
以下に本発明の好適な実施形態について説明する。以下に説明する実施形態は、本発明の一例を説明するものである。また、本発明は、以下の実施形態に限定されるものではなく、本発明の要旨を変更しない範囲において実施される各種の変形例も含む。
【００２１】
１．インクジェットプリンター
以下、本発明の一実施形態に係るインクジェットプリンターの装置構成について、図面を参照しながら詳細に説明する。なお、本発明の一実施形態に係るインクジェットプリンターの構造の理解を容易にするために、尺度を適宜変更している場合がある。
【００２２】
図１は、本実施形態に係るインクジェットプリンター１０００を模式的に示す斜視図である。図２（Ａ）は、本実施形態に係るインクジェットプリンター１０００（以下、単に「プリンター１０００」ともいう。）に装着可能な液体収容体１００の断面の模式図である。図１および図２（Ａ）には、互いに直交するＸＹＺ軸が描かれている。本実施形態において、プリンター１０００の使用姿勢では、Ｚ軸が鉛直方向（重力方向）であり、Ｙ軸は、カートリッジホルダー１５０に対する液体収容体１００の着脱方向、Ｘ軸は、複数の液体収容体１００，１１０，１２０，１３０が並ぶ方向である。より具体的には、＋Ｚ軸方向が鉛直上向き方向、−Ｚ軸方向が鉛直下向き方向、＋Ｙ軸方向が液体収容体１００の引き抜き方向、−Ｙ軸方向が液体収容体１００の挿入方向である。本実施形態に係るインクジェットプリンター１０００は、４つの液体収容体１００，１１０，１２０，１３０、気体排出手段４００、記録ヘッド３１０等を有する。
【００２３】
１．１．液体収容体
図１に示すように、液体収容体１００，１１０，１２０，１３０は、カートリッジホルダー１５０に差し込まれることでプリンター１０００に装着される。液体収容体１００は、カートリッジホルダー１５０に対して着脱可能となっている。使用者は、たとえばインクが残り少なくなった場合やインクが古くなったような場合に、古い液体収容体１００，１１０，１２０，１３０をカートリッジホルダー１５０から取り外して、新しい液体収容体に交換することができる。
【００２４】
また、図１に示すように、プリンター１０００には、４つの液体収容体１００，１１０，１２０，１３０がＸ方向に並んで装着されている。本実施形態では、液体収容体が４つ装着されている場合を示したが、３つ以下であってもよいし、５つ以上であってもよい。
【００２５】
本実施形態に係るプリンター１０００では、液体収容体１１０，１２０，１３０には、通常のカラーインクが収容されている。そのため、液体収容体１１０，１２０，１３０は、液体収容体１００と比較して、その内部に含まれる液体（インク）から気体が発生しにくい。一方、液体収容体１００の液体収容室１０に含有成分の化学変化により経時的に気体を発生させる液体が収容される。液体収容体１００，１１０，１２０，１３０は、いずれも液体収容部が大気に対して開放されていない、いわゆる密閉タイプの液体収容体である。よって、液体収容体１００では、液体収容部の内部で発生した気体によって、密閉された液体収容室１０の内圧が上昇しやすい。よって、液体収容体１００の液体収容室の容量は、他の液体収容体１１０，１２０，１３０の液体収容室の容量よりも大きいことが好ましい。これにより、液体収容体１００は、液体収容室１０内で気体が発生しても、通常のカラーインク用の液体収容体１１０，１２０，１３０と比べて破損しにくくなる。
【００２６】
液体収容体の種類としては、本実施形態の液体収容体１００，１１０，１２０，１３０のような密閉タイプの液体収容体と、液体収容部が大気に対して開放された、いわゆる開放タイプの液体収容体とが存在する。開放タイプの液体収容体では、液体収容室内の液体の消費に伴って外部から液体収容室内に大気が導入される。すなわち、開放タイプの液体収容体では、消費された液体が大気に置換され、液体収容室の容積はほぼ一定である。また、開放タイプの液体収容体には、液体収容室内の液体の消費に伴って外部から液体収容室内に大気を導入するための流通路が設けられる。このような流通路は、大気流通路、大気導入路などと呼ばれる。一方、本実施形態にかかる液体収容体１００，１１０，１２０，１３０のような密閉タイプの液体収容体では、液体と大気との置換は行われず、液体の消費に伴って液体収容室の容積は減少する。また、大気導入路や大気連通路は設けられない。
【００２７】
先に説明したように、本実施形態では、液体収容体１００のみに後述する含有成分の化学変化により経時的に気体を発生させる液体が収容されている。他の液体収容体１１０，１２０，１３０には、通常のカラーインクが収容されている。以下、液体収容体１００について、図２（Ａ）を用いてその内部構成を詳細に説明するが、他の液体収容体１１０，１２０，１３０は、気体流通口４２が設けられていない点を除き、液体収容体１００と同様に構成されている。なお、他の液体収容体１１０，１２０，１３０のうちすべてやこれらの一部に、液体収容体１００と同様、含有成分の化学変化により経時的に気体を発生させる液体が収容されていてもよい。この場合には、他の液体収容体の構造を液体収容体１００と同様の構造にすればよい。
【００２８】
＜液体収容体の内部構成＞
図２（Ａ）に示すように、本実施形態に係る液体収容体１００は、液体収容室１０と、該液体収容室に連通し該液体を流通させる液体流通路２０と、該液体収容室に連通し気体を流通させる気体流通口４２と、を備える。液体収容室１０には、含有成分の化学変化により経時的に気体を発生させる液体が収容される。液体収容室１０内の液体は、液体流通路２０を介して後述する記録ヘッド３１０へ供給される。また、液体収容室１０内で発生した気体は、気体流通路４０を介して外部へ排出される。なお、詳細は後述するが、気体流通路４０は、液体収容室１０内で発生した気体を外部へ排出するための流通路である。気体流通路４０は、液体収容室１０を大気に対して開放するための流通路（大気導入路、大気連通路）ではない。
【００２９】
＜液体収容室＞
液体収容室１０は、例えば、フィルム、成形体等により形成することができる。本実施形態では、液体収容室１０が可撓性のフィルムで形成されており、液体収容室１０は、比較的可撓性が低いハウジング１２の内部に収容されている。液体収容室１０自体を、比較的堅牢な成形体によって形成することも可能であり、この場合は、ハウジング１２を省略することが可能である。図２（Ａ）の例では、液体収容体１００は、樹脂の成形体からなるハウジング１２の内側に配置されており、袋状のフィルム（インクパック）１１によって形成されている。
【００３０】
液体収容室１０を形成するインクパック１１は、例えば、高分子や、金属の蒸着膜等で構成され、多層構造であってもよい。ハウジング１２は、樹脂の成形体であるが、金属や紙で形成することも可能である。液体収容体１００がインクパック１１やハウジング１２などの複数の部材で形成される場合には、溶着部分や接着部分が形成されてもよい。インクパック１１やハウジング１２は、液体（インク）に含まれる有機溶媒または水が揮発して発散してしまうことを防止するため気体透過率が小さい材料で形成されることが好ましい。たとえば、後述する卑金属顔料のように水と反応して経時的に水素ガスを発生させることが想定される場合には、水素ガスの透過性に優れた材料を使用することが好ましい。また、液体収容室１０を形成するインクパック１１やハウジング１２の材質のうち、収容される液体に接する部分の材質は、収容される液体に対して安定であることが好ましい。
【００３１】
液体収容室１０の形状および容積は、特に限定されない。液体収容室１０には、液体が収容されるが、液体とともに固体や気体が収容されてもよい。液体収容室１０に収容される液体の体積も特に限定されない。
【００３２】
＜液体流通口＞
液体収容室１０は、液体収容室１０の内部と液体収容体１００の外部とを連通する液体流通路２０に連通している。液体流通路２０は、液体収容室１０から記録ヘッド３１０へ液体を供給するための通路である。液体流通路２０は、液体供給管２００と接続される。液体収容室１０に収容された液体は、液体流通路２０から液体供給管２００（図１参照）を経て記録ヘッド３１０へ供給される。液体流通路２０の形状は、特に限定されず、液体供給管２００への接続に適した形状とすることができる。
【００３３】
液体流通路２０は、例えば、金属のチューブ、高分子材料の成形体などにより形成される。高分子材料の成形体により形成される場合には、当該成形体は、インクパック１１を形成する部材と一体的に形成されてもよいし、別体として形成された後に融着・接着等によって接続されてもよい。図示の例では、液体流通路２０は、筒状に成形された樹脂により形成されている。
【００３４】
液体流通路２０の液体収容室１０内部側の端部（液体流通口）２２は、液体収容室１０の内部で開口している。本実施形態において、液体流通口２２は、液体収容体１００がプリンター１０００に装着された状態において、液体収容室１０の鉛直方向（Ｚ軸方向）の中心の位置よりも下側（−Ｚ軸方向側）に設けられている。液体流通口２２をこのような位置に設けることによって、鉛直方向の中心付近の位置に設ける場合よりも、液体を流出させやすくなる。
【００３５】
本実施形態に係る液体収容体は、液体流通路２０の他に、液体収容室１０の内部に液体を充填するための液体注入路をさらに備えてもよい。液体収容室１０を大気に対して密閉した状態とするため、液体注入路は、液体を充填した後に塞がれる。液体注入路を塞ぐ方法としては、液体収容室１０を大気に対して密閉した状態とできる方法であれば、どのような方法であってもよく、例えば、注入路の入口に密閉栓を取り付ける、注入路の入口にフィルムを貼る、注入路の入口を熱で溶かす、等、さまざまな方法が考えられる。
【００３６】
＜気体流通口＞
液体収容室１０は、液体収容室１０の内部と液体収容体１００の外部とを連通する気体流通路４０に連通している。気体流通路４０は、液体収容室１０内で発生した気体を外部へ排出するための流通路である。本実施形態では、気体流通路４０は、気体排出管４１０（図１参照）を介して気体排出手段４００（図１参照）と接続される。
【００３７】
気体流通路４０の形状は、特に限定されず、気体排出手段４００に液体（インク）を導くための気体排出管４１０への接続に適した形状とすることができる。また、気体流通路４０は２以上設けられてもよく、この場合には気体の排出効率が向上する。
【００３８】
気体流通路４０は、例えば、金属のチューブ、高分子材料の成形体などにより形成される。高分子材料の成形体により形成される場合には、当該成形体は、液体収容室１０を形成する部材と一体的に形成されてもよいし、別体として形成された後に融着・接着等によって接続されてもよい。図示の例では、気体流通路４０は、筒状に成形された樹脂により形成されている。
【００３９】
気体流通路４０の液体収容室１０内部側の端部（気体流通口）４２は、液体収容室１０の内部で開口している。気体流通口４２は、液体収容体１００をプリンター１０００に装着した姿勢において、液体収容室１０の上面に設けられている。これは、液体収容体１００をプリンター１０００に装着した姿勢において、気体が鉛直方向の上側に集まるためである。気体流通口４２を設ける位置は、液体収容室１０の上面には限られないが、液体収容室１０の上面に設けることによって、気体をより効率良く排出することが可能となる。気体をより効率よく排出する観点から、気体流通口４２は、液体収容室１０の鉛直方向の中心よりも上側（＋Ｚ軸方向側）に設けることが好ましい。
【００４０】
本実施形態に係る液体収容体１００は、ヘッドにインクを供給するために使用される液体流路（液体流通路２０）と、液体収容室１０内部で発生した気体を排出するための気体流路（気体流通路４０）と、を別々に設けている。そのため、記録中に液体収容室１０内部で気体が発生した場合であっても、記録を中断することなく気体を液体収容体１００の外部に排出することができる。また、気体流通路４０によって気体を排出する際に、液体も同時に排出されてしまうことがあるが、そのような液体の量をより低く抑えることができるため、液体の消費量を低減することができる。一方、液体流通路２０と気体流通路４０とを別々に設けず、液体流通路２０のみによってインクの排出と気体の排出とを行うことも考えられるが、その場合は、記録を中断して気体排出動作を実施する必要がある。また、気体を排出する際に、同時に排出される液体の量が多くなる可能性が高く、液体の消費量が増加してしまう可能性が高い。
【００４１】
＜時間的情報＞
本実施形態の液体収容体１００には、液体収容体１００の製造に関する時間的情報を保持する情報保持部３０（図３参照）が設けられていても良い。情報保持部３０（図３参照）は、たとえば、液体収容体１００のハウジング１２に取り付けられた媒体によって構成することが可能である。このような媒体としては、ラベル、シール、スティッキー、マーク、タグ、半導体チップ、ＲＦＩＤ（Ｒａｄｉｏ  Ｒｅｑｕｅｎｃｙ  Ｉｄｅｎｔｉｆｉｃａｔｉｏｎ）などを例示することができる。また、情報保持部３０（図３参照）は、液体収容体１００のハウジング１２やインクパック１１に直接刻印、印刷等した、文字、記号等であっても良い。
【００４２】
液体収容体１００の製造に関する時間的情報は、液体収容体１００に収容された液体が発生させる気体の量を把握するために利用される。「時間的情報」とは、日付、時刻、および経過期間のうち、少なくとも１つである。
【００４３】
時間的情報は、液体収容体１００に収容される液体の性質に応じて選択される。例えば、当該液体からの気体の発生速度が小さい場合には、時刻に関する情報まで選択されなくても、日付が選択されれば十分である場合がある。そのような場合において、日付に加え、時刻に関する情報が選択されることは妨げられない。また、例えば、当該液体からの気体の発生速度が大きい場合には、時刻に関する情報（時、分、秒等）が選択される場合もある。さらに、経過期間に関しても同様に、当該液体の性質に応じて、特定の時点からの、経過期間（年、月、日、時、分、秒など）が選択される。液体収容体１００に日付や時刻の情報を保持させる場合は、例えば、これらの情報を記憶させた半導体チップを液体収容体１００に取り付けたり、これらの情報を液体収容体１００のハウジング１２に印刷したりすれば良い。液体収容体１００に経過期間の情報を保持させる場合には、例えば、液体収容体１００に計時回路を設ければ良い。
【００４４】
「液体収容体１００の製造」とは、液体、インクパック、液体収容体の完成だけではなく、インクパックへの液体の充填、液体収容体の梱包、液体収容体の出荷等のようなものを含み、液体収容体を製造するための行為から顧客先への出荷までに関連する一連の行為を含む。「液体収容体１００の製造に関する情報」としては、例えば、液体収容体１００に収容された液体に関して、該液体の成分の製造、該液体の製造、および、該液体の収容、該液体が充填された液体収容体の出荷、該液体が充填された液体収容体の梱包が挙げられる。
【００４５】
すなわち、「液体収容体１００の製造に関する時間的情報」としては、時間的情報が、日付および／または時刻である場合には、該液体の成分の製造行為、該液体の製造行為、および、該液体の収容行為、該液体が充填された液体収容体の出荷行為、該液体が充填された液体収容体の梱包行為のうち、少なくとも一種の行為に基づいた日付および／または時刻が挙げられる。また、時間的情報が、経過期間である場合には、該液体の成分の製造行為、該液体の製造行為、および、該液体の収容行為、該液体が充填された液体収容体の梱包行為、該液体が充填された液体収容体の出荷行為のうち、少なくとも一種の行為に基づいた日付および／または時刻からの経過期間が挙げられる。これらの中でも、液体収容体の気体の発生状況を明確に把握出来る観点で、（１）該液体若しくはその成分の製造行為に基づいた日付および／または時刻、（２）該液体を液体収容体１００に収容する収容行為に基づいた日付および／または時刻、（３）該液体若しくはその成分の製造行為に基づいた日付および／または時刻からの経過期間、（４）該液体を液体収容体１００に収容する収容行為に基づいた日付および／または時刻からの経過時間、のうち、少なくとも１つの情報を採用することが好ましい。なお、「基づいた」とは、その行為に関連して設定された時間を示し、その行為が行われた瞬間の時間を示すわけではない。
【００４６】
上記のような時間的情報に基づいて、液体が発生させる気体の量を把握することによって、気体の排出を適切に制御することができる。すなわち、気体を排出するタイミング、気体を排出する方法、気体を排出する程度等を調節することが可能となる。
【００４７】
１．２．液体
本実施形態の液体収容体１００（液体収容室１０）に収容される液体は、含有成分の化学変化により経時的に気体を発生させるものであれば、特に限定されない。ここで含有成分の化学変化とは、含有成分の１種が変性（分解、構造変化など）して他の物質（気体を含む）に変化すること、および、含有成分の２種以上が互いに反応して元の成分とは異なる１または複数の物質（気体を含む）に変化すること、の少なくとも一方を指す。本実施形態の液体収容体１００に収容される液体としては、含有成分の２種以上が互いに反応して元の成分とは異なる１または複数の物質（気体を含む）に変化するものがより好ましい。
【００４８】
また経時的に気体を発生させるとは、時間の経過とともに気体を発生させる期間が存在することを指す。したがって、液体収容体１００に収容される液体は、含有成分の化学変化が生じて気体を発生させる時期（期間）の存在する液体であり、含有成分が化学変化する前の状態や含有成分の化学変化が終了した後の状態の液体も含まれる。
【００４９】
このような液体としては、例えば、熱、光等により化学的変化を生じ得る物質、共存することにより互いに反応し得る物質の組み合わせ、などを成分として含む液体が挙げられる。また、液体収容体１００が、インクジェット記録のためのインクカートリッジであって、液体としてインクが収容される場合には、その液体（インク）としては、例えば、金属顔料を含むインク、染料を含むインクが挙げられる。特に、経時的に気体を発生させやすいインクとしては、金属顔料と水とを含むインクが挙げられ、当該金属顔料が卑金属を含む材質で形成されているインクが挙げられる。ここで、卑金属とは、ｂａｓｅ  ｍｅｔａｌとも称される金属であって、イオン化傾向が水素より大きい金属を指す。卑金属の典型例としては、アルカリ金属、アルカリ土類金属、アルミニウム、亜鉛などが挙げられる。金属顔料は、これら卑金属の少なくとも１種を含む合金であってもよい。これらの材料は、インク中に含まれる水または有機溶媒と反応し、気泡（気体）を多く発生させる傾向がある。
【００５０】
以下、金属顔料として、卑金属であるアルミニウムを材質とするアルミニウム顔料と、水を含むインク組成物を、本実施形態の液体の一態様として説明する。
【００５１】
＜アルミニウム顔料＞
アルミニウム顔料としては、例えば、平板状の形状を有するものが挙げられる。平板状の形状とは、例えば、鱗片状、リーフ状、板状、フィルム状等の形状である。アルミニウム顔料は、無機酸化物等によって被覆されていてもよい。被覆されることにより、インク中の気泡（気体）の発生を抑制することができる場合がある。アルミニウム顔料が平板状であると、インクが記録媒体に付着した際に良好な金属光沢性が得られやすい。
【００５２】
被覆膜によって被覆されたアルミニウム顔料の、粒子像分析装置により得られる粒子の投影画像の面積から求めた円相当径の５０％平均粒子径Ｒ５０（以下、単に「Ｒ５０」ともいう。）は、０．５μｍ以上２μｍ以下であり、好ましくは０．７μｍ以上１．８μｍ以下である。
【００５３】
アルミニウム顔料粒子の投影画像の面積、円相当径を測定するための粒子像分析装置としては、例えば、フロー式粒子像分析装置ＦＰＩＡ−２１００、ＦＰＩＡ−３０００、ＦＰＩＡ−３０００Ｓ（以上、シスメックス株式会社製）等が挙げられる。なお、ここでいう円相当径の平均粒子径は、個数基準の粒子径である。また、ＦＰＩＡ−３０００、ＦＰＩＡ−３０００Ｓを用いる場合の測定方法例としては、高倍率撮像ユニットを用い、ＨＰＦ測定モードで測定することが挙げられる。
【００５４】
本実施形態において、アルミニウム顔料粒子の円相当径の最大値は、３μｍ以下であることが好ましい。最大の粒子の円相当径が３μｍ以下であれば、インクジェットプリンターに用いた際に、ノズル開口部やインク流路における目詰りを抑制することができる。
【００５５】
また、アルミニウム顔料粒子の厚みは、５ｎｍ以上１００ｎｍ以下、好ましくは５ｎｍ以上７０ｎｍ以下、さらに好ましくは１０ｎｍ以上５０ｎｍ以下である。
【００５６】
なお、厚みについては、透過型電子顕微鏡、あるいは走査型電子顕微鏡を用いて測定され、例えば、透過型電子顕微鏡（ＴＥＭ：ＪＥＯＬ，ＪＥＭ−２０００ＥＸ）、電界放射走査型電子顕微鏡（ＦＥ−ＳＥＭ：Ｈｉｔａｃｈｉ，Ｓ−４７００）などが挙げられる。なお、厚みとは、平均厚みを意味し、前記測定を１０回行った平均値とする。
【００５７】
アルミニウム顔料が被覆膜を有する場合の被覆膜の材質としては、例えば、アルコキシシラン（例えば、テトラエトキシシラン（ＴＥＯＳ））、ポリシラザン、またはこれらの化合物から誘導される化合物、フッ素系材料、リン系材料、リン酸系材料を含むものが好ましい。
【００５８】
また、アルミニウム顔料は、分散液の状態で供給されてもよい。アルミニウム顔料の分散液に含まれる成分としては、水、有機溶媒、塩基性触媒、界面活性剤、第三級アミン、緩衝液などが挙げられ、適宜に配合され得る。
【００５９】
＜水＞
水は、イオン交換水、限外ろ過水、逆浸透水、蒸留水などの純水または超純水を用いることが好ましい。特にこれらの水を紫外線照射または過酸化水素添加などにより滅菌処理した水は、長期間に亘りカビやバクテリアの発生を抑制することができるので好ましい。
【００６０】
＜その他＞
液体の一例であるインク組成物は、その他の成分を含んでもよい。その他の成分としては、例えば、有機溶剤、触媒、界面活性剤、緩衝剤、アルカンジオール、ピロリドン誘導体、ｐＨ調整剤、水溶性ロジン等の定着剤、安息香酸ナトリウム等の防黴剤・防腐剤、アロハネート類等の酸化防止剤・紫外線吸収剤、キレート剤、酸素吸収剤等の添加剤等が挙げられる。
【００６１】
＜インク組成物＞
インク組成物中のアルミニウム顔料の濃度は、インク組成物の全質量に対して、固形分濃度として、好ましくは０．１〜５．０質量％、さらに好ましくは０．１〜３．０質量％、より好ましくは０．２５〜２．５質量％、特に好ましくは０．５〜２．０質量％である。インク組成物の２０℃における粘度は、好ましくは２ｍＰａ・ｓ以上１０ｍＰａ・ｓ以下であり、より好ましくは３ｍＰａ・ｓ以上５ｍＰａ・ｓ以下である。
【００６２】
インク組成物は、各成分を任意の順序で混合し、必要に応じて濾過等をして不純物を除去することにより得られる。各成分の混合方法としては、メカニカルスターラー、マグネチックスターラー等の撹拌装置を備えた容器に順次材料を添加して撹拌混合する方法が好適に用いられる。濾過方法としては、遠心濾過、フィルター濾過等を必要に応じて行なうことができる。
【００６３】
以上例示したインク組成物は、本実施形態の液体収容体１００に収容される液体とすることができる。上記インク組成物は、アルミニウム顔料および水を含有するため、経時的に気体を発生させる。なお、アルミニウム顔料（液体の成分）の製造時点とは、アルミニウム顔料または被覆されたアルミニウム顔料が、水に接触しうる状態になった時点を指し、インク組成物（液体）の製造時点とは、上述の混合、濾過等の一連の工程が終了した時点を指す。さらに液体を液体収容体１００に収容した時点とは、液体収容体１００に液体を導入し、必要に応じて封止した場合は封止した時点、封止しない場合は液体を導入した時点を指す。
【００６４】
１．３．記録ヘッド
本実施形態に係る記録ヘッド３１０は、各液体収容体１００，１１０，１２０，１３０の液体収容室と連通し、各液体収容体１００，１１０，１２０，１３０から供給された液体を吐出する。具体的には、記録ヘッド３１０には、液体供給管２００と接続された液体流通路２０を介して、液体収容室１０内部の液体が供給される。このようにして、記録ヘッドの底面側（記録媒体Ｐに向いた側）に設けられたノズル（図示せず）から液体を吐出可能な状態となる。
【００６５】
記録ヘッド３１０のインクジェット記録方式としては、いずれの方式を用いてもよく、例えば、ノズルとノズルの前方に置いた加速電極の間に強電界を印加し、ノズルから液滴状のインクを連続的に吐出させ、インクの液滴が偏向電極間を飛翔する間に印刷情報信号を偏光電極に与えて記録する方式またはインクの液滴を偏向することなく印刷情報信号に対応して吐出させる方式（静電吸引方式）、小型ポンプでインク液に圧力を加え、ノズルを水晶振動子等で機械的に振動させることにより、強制的にインクの液滴を吐出させる方式、インクに圧電素子で圧力と印刷情報信号を同時に加え、インクの液滴を吐出・記録させる方式（ピエゾ方式）、インクを印刷情報信号にしたがって微小電極で加熱発泡させ、インク滴を吐出・記録させる方式（サーマルジェット方式）等を用いることができる。
【００６６】
記録ヘッド３１０は、記録手段３００（図３参照）の構成要素の一つである。記録手段３００は、記録ヘッド３１０の他に、例えば記録ヘッド３１０を往復動させる駆動機構３３０などを含む。駆動機構３３０は、タイミングベルトと、タイミングベルトを駆動するための駆動モーターなどを備える。記録ヘッド３１０は、駆動機構３３０により、Ｘ軸に沿って往復動することができる。
【００６７】
本実施形態では、記録ヘッド３１０を主走査方向（±Ｘ軸方向）に往復動させながら記録を行ういわゆるシリアルヘッドタイプのインクジェットプリンターを例示しているが、本発明は、往復動しないライン型の記録ヘッドを利用したいわゆるラインヘッドタイプのインクジェットプリンターにも適用できる。
【００６８】
１．４．気体排出手段
本実施形態に係る気体排出手段４００は、後述する初期排出動作および第２排出動作を実行させるための手段である。気体排出手段４００は、気体流通路４０と連通し、液体収容体１００の内部で発生した気体を外部に排出させる。
【００６９】
気体排出手段４００は、プリンター１０００の任意の位置に設けることができる。図１の例では、プリンター１０００の筐体の外側の側面に取り付けられているが、筐体の内部に設けても良い。
【００７０】
本実施形態において、気体排出手段４００は、弁４２０と吸引機構４３０とを備える（図３参照）。弁４２０と吸引機構４３０は、後述する制御手段６００によって制御される。弁４２０としては、このような制御手段６００の命令に応じて開閉する電磁弁を用いることができる。また、吸引機構４３０には、公知の吸引ポンプを用いることができる。弁４２０と吸引機構４３０を用いた気体排出手段４００の制御の詳細については、後述する。
【００７１】
気体排出手段４００によって液体収容体１００の外部に排出された気体は、気体排出手段４００と接続されたボンベ等の気体貯蔵手段（図示せず）によって回収されてもよいし、大気中に排出されてもよい。気体を大気中に排出する場合には、気体を大気に排出するための気体排出口（図示せず）を２つ以上設けておき、これらを離れた位置に配置しておくことで、気体が集中して１箇所に排出されなくなるので、引火性の気体が排出された場合における爆発や引火の危険を少なくすることができる。また、気体排出口は、プリンター１０００の発熱しやすい箇所（例えば、回路基板など）から離れた位置に配置することで、排出された気体に起因する爆発や引火などの危険を少なくすることができる。なお、気体を回収したり大気中に排出したりする場合は、弁４２０を閉じる等によって、気体や大気が液体収容室１０側に逆流しないようにする必要がある。
【００７２】
気体排出手段４００は、液体収容室１０内で発生した気体とともに液体収容室１０内部の液体を排出してもよい。すなわち、気体排出手段４００によって、気体と液体との混合物を排出してもよい。液体収容室１０で発生した気体の量を予測して気体排出手段４００を動作させる場合は、予測した気体の量よりも実際に発生した気体の量が多い可能性もある。また、液体収容室で発生した気体が液体と分離せず液体に混ざっている場合もある。よって、気体といっしょに液体を排出することにより、液体収容室１０内部の気体をより確実に、またはより多く排出することが可能となる。
【００７３】
気体排出手段４００として、このように制御手段６００によって制御される弁４２０や吸引機構４３０の代わりに、図２（Ｂ）に示したように、液体収容室１０の内圧の変化に応じて自動で開閉する自己開閉弁４００Ａを採用しても良い。図２（Ｂ）は、変形例にかかる液体収容体１００Ａの断面の模式図である。図２（Ｂ）に示した液体収容体１００Ａは、自己開閉弁４００Ａが設けられている点を除いて、図２（Ａ）の液体収容体１００と同様に構成される。このような自己開閉弁４００Ａは、図２（Ｂ）に示したように、気体流通路４０中に設けることができる。あるいは、このような自己開閉弁４００Ａは、気体流通路４０と接続された気体排出路中に設けることも可能である。そして、自己開閉弁４００Ａは、液体収容室１０内で発生した気体によって液体収容室１０の内圧が所定値を超えた場合に自動的に開いて気体を排出した後、液体収容室１０の内圧が下がることで自動的に閉じるように構成される。先に説明した気体排出手段４００の場合と同様、液体収容体１００Ａの外部に排出された気体は、気体流通路４０と接続されたボンベ等の気体貯蔵手段（図示せず）によって回収されてもよいし、大気中に排出されてもよい。自己開閉弁４００Ａは、気体を回収したり大気中に排出したりする際に、気体や大気が液体収容室１０側に逆流しないようにするための逆止弁としても機能する。
【００７４】
１．５．その他の構成
本実施形態に係るインクジェットプリンターは、計時手段、内圧測定手段、残量検出手段、メンテナンス手段および制御手段等を有している。図３は、プリンター１０００を含む機能ブロックの一例を示す図である。
【００７５】
＜計時手段＞
計時手段７００は、時間を記憶することができるものであれば特に限定されず、タイマー等を用いることができる。計時手段７００は、プリンター１０００のいずれの位置に設けられていてもよく、後述する制御手段６００に組み込まれていてもよい。また、計時手段７００は、上述したように液体収容体１００に付属していてもよい。
【００７６】
計時手段７００は、プリンター１０００の電源オフ時においても時間を記憶できるものであることが好ましく、例えば充電式のバッテリーが組み込まれていてもよい。計時手段７００は計時の開始や積算された時間のリセットが行えるものであってもよい。
【００７７】
計時手段７００は、リセット式のタイマーを用いた手段に限定されない。例えば、装置内で回転を行うギアがあり、そのギアの回転数をカウントしてそのギアの回転回数を経過時間と相関させて計時する手段であってもよい。その他の機械機構を利用した計時手段でもよい。また、総積算時間を記憶するタイマー手段があり、以前動作の時の総積算時間を記憶し、次の動作の時に総積算時間からその記憶した総積算時間との差を求めて、経過時間を判断しても良い。
【００７８】
具体的には、計時手段７００は、初期排出動作（後述）から第２排出動作（後述）までの経過時間や、第２排出動作から次の第２排出動作までの経過時間などを計時することができる。
【００７９】
＜内圧測定手段＞
内圧測定手段７３０は、液体収容室１０の内圧を測定する手段であり、制御手段６００に内圧情報を提供するために用いられる。内圧測定手段７３０は、液体収容体１００の内圧を測定できるものであれば特に限定されず、例えば、公知の圧力計などを用いることができる。内圧測定手段７３０は、液体収容体１００の内圧を測定できるのであれば、プリンター１０００のいずれの位置に設けられてもよい。
【００８０】
内圧測定手段７３０により得られた内圧情報は、後述する制御手段６００によって取得される。制御手段６００が内圧測定手段７３０から得る内圧情報は、例えば、液体収容室１０の現在の内圧値であってもよいし、特定の時点の内圧値から現在の内圧値までの圧力差であってもよい。制御手段６００は、得られた内圧情報によって、後述する各排出動作を実行する必要があるかの判定を行うことができる。
【００８１】
計時手段７００および内圧測定手段７３０の少なくとも一方を備えていれば、初期排出動作および第２排出動作を適切なタイミングで容易に実行することが可能となる。計時手段７００および内圧測定手段７３０は、後に説明する初期排出動作および第２排出動作を含むフローを実施しない場合や、当該フローでこれらを利用しない場合には、省略することが可能である。
【００８２】
＜残量検出手段＞
残量検出手段５０は、液体収容室１０内の液体の有無や、液体収容室１０内の液体が残り少なくなったことなどを検出するための手段である。残量検出手段５０による液体の検出は、液体収容室１０から送出される液体の有無、流量、圧力などに基づいて実施される。残量検出手段５０としては、たとえば、流量計、圧力計、液体の有無によって応答が変化する圧電センサーなどを利用することが可能である。残量検出手段５０が液体が無くなったことや、残り少なくなったことを検出した場合に、記録ヘッド３１０による記録を停止させることによって、液体が存在しない状態で記録ヘッド３１０が動作するのを防ぐことができ、記録ヘッド３１０の損傷を低減することが可能となる。
【００８３】
＜メンテナンス手段＞
メンテナンス手段８００は、後述する制御手段６００からの命令にしたがって、記録ヘッド３１０の保守を行うメンテナンス動作を実行するための手段である。具体的には、メンテナンス動作は、記録ヘッド３１０に供給された液体に混入した気泡（気体）をノズルから排出したり、記録ヘッド３１０を保湿したりする動作である。
【００８４】
メンテナンス手段８００は、記録ヘッド３１０の底面側でノズルが形成されている面（ノズル面）に押し付けられて、ノズルを取り囲むように閉空間を形成するキャップ２８０（図１参照）や、記録ヘッド３１０のノズル面に押し付けるためにキャップ２８０を昇降させる昇降機構（図示せず）や、キャップ２８０が記録ヘッド３１０のノズル面に押し付けられることで形成される閉空間を負圧にする吸引ポンプ（図示せず）などを備える。
【００８５】
図１の例では、記録ヘッド３１０をＸ軸に沿って移動させた記録領域外の位置には、ホームポジションと呼ばれる領域が設けられている。ホームポジションには、メンテナンス手段８００の一部であるキャップ２８０が配置されている。
【００８６】
＜制御手段＞
制御手段６００は、インクジェットプリンター１０００の各機構を制御する。たとえば、計時手段７００や内圧測定手段等から取得した情報、あるいは液体収容体１００の情報保持部３０から取得した情報に基づいて、気体排出手段４００を制御する。制御手段６００は、気体排出手段４００の制御の他に、記録動作、ガス導入動作およびメンテナンス動作などの各種動作の実行・停止に関する信号を発してもよい。なお、制御手段５００は、ホスト装置９００に配置されてもよい。
【００８７】
制御手段６００は、例えば、ＣＰＵ６１０およびプログラムにより実現することができる。制御手段６００は、計時手段７００からの経過時間情報や、内圧測定手段７３０からの内圧情報などの各種の情報を取得することができる。制御手段６００は、受取った情報や現在の時間（年月日や時刻）等に関する情報を記憶する記憶部６２０を有してもよい。また、制御手段６００は、ホスト装置９００等から現在の時間（年月日や時刻）等に関する情報を取得してもよい。
【００８８】
ここでは、制御手段６００がホスト装置９００に配置される場合の一例を説明する。ホスト装置９００は、例えば、パーソナルコンピューター、携帯情報端末（ＰＤＡ：Ｐｅｒｓｏｎａｌ  Ｄｉｇｉｔａｌ  Ａｓｓｉｓｔａｎｃｅ）であり、ＣＰＵ９１０を有することができ、各手段から送出される情報（信号等）や、ユーザーからの入力情報を受取り、これに基づく演算を行う。
【００８９】
制御手段６００は、液体収容体１００に収容された液体の種類に応じ、参照することのできる物性テーブル６３０を有していてもよい。物性テーブルとしては、液体が発生させる気体の量と経過時間との関係を示すテーブル、液体の種類に応じた閾値（時間、圧力等）のテーブルなどが挙げられる。物性テーブルの具体例について、図４（Ａ）〜（Ｃ）を用いて説明する。図４（Ａ）は、液体が発生させる気体の量と経過時間との関係を示すグラフである。図４（Ｂ）は、液体が発生させる気体の量と経過時間との関係を示すテーブルの例、図４（Ｃ）は、液体の種類に応じた閾値（時間）のテーブルの例である。図４（Ａ）に示すように、液体収容室１０に収容された液体（インク）は、含有成分の化学変化により経時的に気体を発生させる。図４（Ａ）には、成分が同じインクＡのサンプルを複数準備して、経過時間と気体発生量の関係を調べ、それらのサンプルの結果の平均値をグラフにしたものである。図４（Ａ）のプロファイルから、経過時間ｔ１，ｔ２，ｔ３，…ｔｎにおける気体発生量ａ１，ａ２，ａ３，…ａｎを求めることにより、図４（Ｂ）に示したように、インクＡについての、液体が発生させる気体の量と経過時間との関係を示す物性テーブルを作成することができる。図４（Ａ）には、インクＡのプロファイルのみを示しているが、このプロファイルはインクの種類によって異なる。インクの種類Ｂ，Ｃ，Ｄ…ごとに、図４（Ａ）のプロファイルを作成し、経過時間ｔ１，ｔ２，ｔ３，…ｔｎにおける気体発生量ｂ１〜ｂｎ，ｃ１〜ｃｎ，ｄ１〜ｄｎ…を求めることにより、インクの種類ごとに、液体が発生させる気体の量と経過時間との関係を示す物性テーブルを作成することができる。同様の方法で、インクの種類ごとに図４（Ａ）のプロファイルを作成し、インクの種類ごとに気体発生量の閾値Ｘに到達する経過時間Ｔを求めることにより、図４（Ｃ）に示したように、インクの種類Ａ，Ｂ，Ｃ，Ｄ…に応じた閾値（時間）Ｔａ，Ｔｂ，Ｔｃ，Ｔｄ…のテーブルを作成することができる。
【００９０】
ホスト装置９００は、プリンター１０００の制御を行ってもよい。例えば、ホスト装置９００は、プリンター１０００による記録（描画）の制御を行ってもよい。この場合、ホスト装置９００は、さらに記憶部９２０を有してもよい。
【００９１】
記憶部９２０は、例えば、半導体メモリー、ハードディスクドライブ等であり、ホスト装置９００と一体的に構成されてもよい。記憶部９２０に記憶された情報は、例えば、表示部９３０に送出される。
【００９２】
表示部９３０は、例えば、表示板（液晶モニター等）、発光体、スピーカー等により構成される。表示部９３０は、各種手段から取得された情報に基づいて、ユーザーがその内容を認識できるように、表示または発報するように設計されてもよい。
【００９３】
＜その他＞
本実施形態に係る液体収容体１００は、液体収容室１０に収容される液体が十分に消費されないままプリンター１０００から取り外される場合がある。また、液体収容室１０に収容される液体は、水素等の安全性に問題のある気体を発生させる場合がある。したがって、液体収容体１００がプリンター１０００から取り外されて廃棄される際には、液体収容体１００を適切に処分することが要求されることがある。
【００９４】
このように、使用された液体収容体１００を適切に処分するためには、取り外された液体収容体１００の処分方法を通知する通知手段（図示せず）を有していれば、液体収容体１００の適切な処分をするように促すことができる。
【００９５】
通知手段としては、例えば、プリンター１０００に設けられた表示部（例えば、表示板（液晶モニター等）、発光体、スピーカー等）、ホスト装置９００に設けられた表示部９３０、液体収容体１００に付属した媒体などが挙げられる。ユーザーは、通知手段によって通知された処理方法にしたがって、液体収容体１００から気体を排出させる。
【００９６】
当該処理方法としては、例えば、液体収容体１００に予め設けられていた気体開放孔を開放したり、液体収容体１００に針などを用いて穴を開けたりする方法が挙げられる。
【００９７】
一方、液体収容体１００がプリンター１０００から取り外された場合に、液体収容体１００から気体が排出されるような機構を備えていれば、通知手段は不要となる場合がある。例えば、カートリッジホルダー１５０内に針などを設け、液体収容体１００を取り外すときまでに針が液体収容室１０の内部に貫通するようにしておけば、液体収容体１００を取り外した際に穴が開くので、気体を大気中に放出することができる。また、液体収容室１０に封のされた気体開放孔を設けておき、液体収容体１００をプリンター１０００から取り外す際に、気体開放孔が開放されるような機構を備えていてもよい。これにより、通知手段がなくとも、液体収容体１００を安全に処分（廃棄）することができる。なお、当該機構は、通知手段と併用されてもよく、この場合には処分時における安全性が一層高まることがある。
【００９８】
２．気体排出手段の制御処理
次に、図５〜図７のフローチャートを参照しながら本実施形態に係るプリンター１０００における気体排出手段の制御処理の一例を説明する。以下のフローでは、制御手段６００が情報取得および判定処理を行って各フローを実行する場合を示したが、液体収容体１００に付属した半導体チップやホスト装置９００が情報取得や判定処理を行うことで、各フローが実行されてもよい。なお、気体排出手段として、図２（Ｂ）に示した気体流通路４０中に設けた自己開閉弁４００Ａを使用する場合には、以下に説明するような制御処理を行う必要がない。
【００９９】
２．１．初期排出動作を含むフロー
初期排出動作を含む本フローは、液体収容体１００が初めてプリンター１０００に装着された際に実行される。以下、初期動作を含む本フローについて、図５のフローチャートを用いて説明する。
【０１００】
まず、ユーザーが購入するなどして入手した液体収容体１００をプリンター１０００に装着する。制御手段６００は、液体収容体１００が挿入されたことを検知し、装着された液体収容体１００や、プリンター１０００から情報を取得する（ステップＳ１０）。制御手段６００が液体収容体１００が挿入されたことを検知する方法としては、機械的あるいは電気的なさまざまな周知の方法が知られている。本実施形態では、このような周知の方法のいずれをも採用することが可能であるため、詳細な説明を省略する。
【０１０１】
次いで、制御手段６００は、気体排出手段４００による気体の排出の要否について判定処理を行う（ステップＳ２０）。気体の排出の必要がない（ステップＳ２０でＮＯ）と判断した場合には、制御手段６００は、ホスト装置９００からの記録等の命令を待機して、本フローを終了する。一方、気体の排出が必要である（ステップＳ２０でＹＥＳ）と判断した場合には、制御手段６００は、気体排出手段４００を動作させて気体排出動作（初期排出動作）を実行させる（ステップＳ３０）。具体的には、制御手段６００は、弁４２０を開き、吸引機構４３０を駆動して、一定量の気体（または気体と液体との混合物）を排出させた後、弁４２０を閉じる。
【０１０２】
次いで、制御手段６００は、計時手段７００をリセットする。または、初期排出動作に関する時間（年月日や時刻）の情報を記憶部６２０に記憶させる（ステップＳ４０）。本フローでは、ステップＳ４０をステップＳ３０の後に実行しているが、これに限定されず、ステップＳ４０をステップＳ３０の前あるいは同時に実行してもよい。
【０１０３】
ここで、計時手段７００のリセット、または記憶部６２０への情報の記録（ステップＳ４０）は、後述する第２排出動作の実行の要否を決定するために実施される。第２排出動作の実行の要否を決定するために、計時手段７００または記憶部６２０の情報を利用しない場合には、ステップＳ４０を省略することが可能である。ステップＳ４０を実施するタイミングとしては、例えば、ステップＳ２０において制御手段６００が気体の排出が必要であると判断した時点であってもよいし、初期排出動作（ステップＳ３０）を開始した時点（たとえば弁４２０を開いた時点や吸引機構４３０の駆動を開始した時点）であってもよいし、初期排出動作（ステップＳ３０）が終了した時点（たとえば弁４２０を閉じた時点や吸引機構４３０の駆動を終了した時点）であってもよい。また、記憶部６２０には、これらのタイミングにおける時間（年月日や時刻）の情報を記憶させればよい。さらに、このような時間の情報を、液体収容体１００の情報保持部３０に記憶させるようにしても良い。
【０１０４】
計時手段７００のリセット、または記憶部６２０への情報の記録を実施した後、制御手段６００は、ホスト装置９００からの記録等の命令を待機して、本フローを終了する。
【０１０５】
なお、プリンター１０００に液体収容体１００が装着される前に、液体収容室１０内である程度の量の気体が発生している場合がある。そのため、本フローは、液体収容体１００がプリンター１０００に装着された際に、制御手段６００やホスト装置９００に何らかの情報が入力される前に、制御手段６００の判断により実行されることが好ましい。これにより、液体収容体１００の破損を防止することができる。
【０１０６】
図５に示したフローのより具体的な例を三種類紹介する。
＜具体例１＞
制御手段６００は、液体収容体１００が挿入された後、内圧測定手段７３０に液体収容体１００の内圧を測定させる。そして、液体収容体１００の内圧に関する情報を取得する（ステップＳ１０）。次に、制御手段６００は、液体収容体１００の内圧が閾値以上であるかどうかを判定する（ステップＳ２０）。液体収容体１００の内圧が閾値より小さく、初期排出動作は不要（ステップＳ２０でＮＯ）と判断した場合には、制御手段６００は、ホスト装置９００からの記録等の命令を待機して、本フローを終了する。液体収容体１００の内圧が閾値以上であり初期排出動作が必要（ステップＳ２０でＹＥＳ）と判断した場合は、制御手段６００は、気体排出手段４００を動作させて気体排出動作（初期排出動作）を実行させる（ステップＳ３０）。その後、制御手段６００は、ホスト装置９００からの記録等の命令を待機して、本フローを終了する。具体例１において、ステップＳ４０は省略される。
【０１０７】
＜具体例２＞
制御手段６００は、液体収容体１００が挿入された後、液体収容体１００の情報保持部にアクセスして、液体収容体１００の製造に関する時間的情報、たとえば液体収容体１００の製造年月日の情報を取得する（ステップＳ１０）。また、液体収容体１００の情報保持部３０から、液体収容体１００に収容されたインクの種類に関する情報を取得する。次に、制御手段６００は、図示しない計算手段に、液体収容体１００から得られた製造に関する時間（年月日や時刻）の情報と、記憶部６２０に保持された現在の時間（年月日や時刻）の情報に基づいて、液体収容体１００の製造時から現在までの経過時間を算出させる。さらに、この経過時間と、液体収容体１００に収容されたインクの種類に関する情報を、図４（Ｂ）に示した物性テーブルに照らし合せて、気体発生量の情報を取得する。さらに、こうして得られた気体発生量の値を、図４（Ｃ）に示した物性テーブルに照らし合せることによって、液体収容体１００の内圧が閾値以上であるかどうかを判定する（ステップＳ２０）。液体収容体１００の内圧が閾値より小さく、初期排出動作は不要（ステップＳ２０でＮＯ）と判断した場合には、制御手段６００は、ホスト装置９００からの記録等の命令を待機して、本フローを終了する。一方、液体収容体１００の内圧が閾値以上であり、初期排出動作が必要（ステップＳ２０でＹＥＳ）と判断した場合は、制御手段６００は、気体排出手段４００を動作させて初期排出動作を実行させる（ステップＳ３０）。さらに、制御手段６００は、初期排出動作が完了した時点で、計時手段７００をリセットする（ステップＳ４０）。その後、制御手段６００は、ホスト装置９００からの記録等の命令を待機して、本フローを終了する。
【０１０８】
＜具体例３＞
具体例２のステップＳ４０において、制御手段６００は、初期排出動作が完了した時点で、計時手段７００をリセットする代わりに、初期排出動作が完了した時間（年月日や時刻）の情報を記憶部６２０へ記憶させても良い。
【０１０９】
２．２．第２排出動作を含むフロー
上記の初期排出動作を含むフローが実行された後にも、所定のタイミングで気体排出手段４００による気体の排出を行うことが好ましい。上記の初期排出動作を含むフローが実行された後に実施される気体の排出動作を、「第２排出動作」と呼ぶ。第２排出動作は、上記のフローにおいて初期排出動作が実施された場合は２回目以降の気体の排出動作であり、初期排出動作が実施されなかった場合は１回目以降の気体の排出動作である。第２排出動作は、ユーザーからの第２排出動作の実行命令が入力された場合や、制御手段６００の判断に基づいて実施される。以下、図６及び図７に基づいて、制御手段６００の判断に基づいて行われる第２排出動作のフローを説明する。図６のフローと図７のフローは、どちらか一方のみを実施しても良いし、２つを連続して実行しても良い。また、これらのフローを複数回実施しても良い。フローを複数回実施する場合、図６のフローと図７のフローのどちらか一方のみを複数回実施しても良いし、一方を複数回実施するごとに他方を１回または複数回実施しても良いし、２つのフローを１回ずつ交互に実施しても良い。
【０１１０】
２．２．１．安全のためのフロー
本フローは、上記の初期排出動作を含むフローが実行された後に行われるフローであり、ユーザーからの記録動作の実行命令や電源ＯＮ、ＯＦＦ等の信号の入力に関わらず、実行されることが好ましいフローである。すなわち、インクジェットプリンターが電源ＯＦＦの状態や待機状態であっても、液体収容室１０内部の液体から気体が発生し続ける場合がある。このような場合、気体排出動作が実施されないと、液体収容室１０内部の液体から発生した気体により、液体収容体１００が破損してしまうことがある。したがって、本フローは、安全のために、制御手段６００の判断に基づいて所定のタイミングで実行されることが好ましい。
【０１１１】
以下、本フローについて、図６のフローチャートを用いて説明する。
【０１１２】
まず、制御手段６００は、内圧測定手段７３０、計時手段７００、または記憶部６２０から情報を取得する（ステップＳ５０）。制御手段６００による本情報の取得は、電源ＯＮ、電源ＯＦＦ、記録動作命令の受信などの各種命令の受信に関わらず、安全のため常に行われていることが好ましい。「常に」とは、所定のある程度短い時間ごとに、定期的に情報の取得が行われている場合を含む。プリンター１０００が電源に接続されていない場合であっても、プリンター１０００に内蔵された充電式のバッテリー等によって、本フローは実行可能である。
【０１１３】
次いで、制御手段６００は、気体排出手段４００による気体の排出の要否について判定処理を行う（ステップＳ６０）。気体の排出が必要である（ステップＳ６０でＹＥＳ）と判断した場合には、制御手段６００は、気体排出手段４００を動作させて気体排出動作を実行させる（ステップＳ８０）。具体的には、制御手段６００は、弁４２０を開き、吸引機構４３０を駆動して一定量の気体（または気体と液体との混合物）を排出させた後、弁４２０を閉じる。
【０１１４】
次いで、制御手段６００は、計時手段７００をリセットする。または、第２排出動作に関する時間（年月日や時刻）の情報を記憶部６２０に記憶させる（ステップＳ８０）。その後、再度ステップＳ５０に戻り、本フローを再開する。本フローでは、ステップＳ９０をステップＳ８０の後に実行しているが、これに限定されず、ステップＳ９０をステップＳ８０の前あるいは同時に実行してもよい。なお、計時手段７００のリセット、または記憶部６２０への情報の記録（ステップＳ９０）は、再度ステップＳ５０に戻った後、次の第２排出動作の実行の要否を決定するために実施される。第２排出動作の実行の要否を決定するために、計時手段７００または記憶部６２０の情報を利用しない場合は、ステップＳ９０を省略することが可能である。
【０１１５】
ステップＳ８０を実施するタイミングとしては、例えば、ステップＳ６０において制御手段６００が気体の排出が必要であると判断した時点であってもよいし、第２排出動作（ステップＳ８０）を開始した時点（たとえば弁４２０を開いた時点や吸引機構４３０の駆動を開始した時点）であってもよいし、第２排出動作（ステップＳ８０）が終了した時点（たとえば弁４２０を閉じた時点や吸引機構４３０の駆動を終了した時点）であってもよい。また、記憶部６２０には、これらのタイミングにおける時間（年月日や時刻）の情報を記憶させればよい。さらに、このような時間の情報を、液体収容体１００の情報保持部３０に記憶させるようにしてもよい。
【０１１６】
一方、ステップＳ６０において、気体の排出の必要がない（ステップＳ６０でＮＯ）と判断した場合には、制御手段６００は、残量検出手段５０から、液体収容室１０の液体の残量に関する情報を取得する。そして、制御手段６００は、この情報に基づいて、液体収容室１０内の液体残量が所定量以上であるか否かの判定を行う（ステップＳ７０）。判定の結果、液体収容室１０内の液体残量が所定量以上（ステップＳ７０でＹＥＳ）である場合には、再度ステップＳ５０に戻り、本フローを再開する。一方、ステップＳ７０の判定の結果、液体収容室１０内の液体残量が所定量未満（ステップＳ７０でＮＯ）である場合には、本フローを終了する。
【０１１７】
なお、液体収容室１０内の液体残量が所定量未満である場合には、液体収容室１０内部で発生する気体の量が僅かになるので、液体収容体１００が破損する恐れがなくなる。したがって、本フローを終了しても安全上の問題が生じない。
【０１１８】
図６に示したフローのより具体的な例を三種類紹介する。
＜具体例１＞
まず、制御手段６００は、定期的に内圧測定手段７３０に液体収容体１００の内圧を測定させる。そして、液体収容体１００の内圧に関する情報を取得する（ステップＳ５０）。
【０１１９】
次に、制御手段６００は、第２排出動作の要否を判定する（ステップＳ６０）。液体収容体１００の内圧が閾値以上であり、第２排出動作が必要（ステップＳ６０でＹＥＳ）と判断した場合は、制御手段６００は、気体排出手段４００を動作させて気体排出動作（第２排出動作）を実行させる（ステップＳ８０）。閾値としては、液体収容体１００が破損しないような値をあらかじめ設定しておき、これを記憶部６２０に記憶させておけば良い。または、インクの種類ごとに異なる閾値を設定する場合は、インクの種類ごとに液体収容体１００の内圧の閾値を設定した物性テーブル６３０を準備しておけばよい。そして、ステップＳ５０において、液体収容体の情報保持部３０からインクの情報を取得し、得られたインクの情報をこの物性テーブル６３０に照らし合せて、当該インクに対応する閾値の情報を取得するようにすれば良い。
【０１２０】
第２排出動作（ステップＳ８０）を実施した後、制御手段６００は、ステップＳ５０に戻り、再度ステップＳ５０を実施する。
【０１２１】
一方、ステップＳ６０において、液体収容体１００の内圧が閾値よりも小さく、第２排出動作が不要（ステップＳ６０でＮＯ）と判断した場合、制御手段６００は、残量検出手段５０から、液体収容室１０の液体の残量に関する情報を取得する。そして、制御手段６００は、この情報に基づいて、液体収容室１０内の液体残量が所定量以上であるか否かの判定を行う（ステップＳ７０）。判定の結果、液体収容室１０内の液体残量が所定量以上（ステップＳ７０でＹＥＳ）である場合には、再度ステップＳ５０に戻り、本フローを再開する。一方、ステップＳ７０の判定の結果、液体収容室１０内の液体残量が所定量未満（ステップＳ７０でＮＯ）である場合には、本フローを終了する。なお、具体例１において、ステップＳ９０は省略される。
【０１２２】
＜具体例２＞
まず、制御手段６００は、定期的に計時手段７００にアクセスして、経過時間の情報を取得する（ステップＳ５０）。この経過時間は、前回計時手段７００がリセットされた時点からの経過時間である。
【０１２３】
次に、制御手段６００は、第２排出動作の要否を判定する（ステップＳ６０）。経過時間が閾値以上であり、第２排出動作が必要（ステップＳ６０でＹＥＳ）と判断した場合は、制御手段６００は、気体排出手段４００を動作させて気体排出動作（第２排出動作）を実行させる（ステップＳ８０）。閾値としては、液体収容体１００が破損しないよう十分に短い時間をあらかじめ設定しておき、これを記憶部６２０に記憶させておけば良い。または、インクの種類ごとに異なる閾値を設定する場合は、インクの種類ごとに液体収容体１００の経過時間の閾値を設定した物性テーブル６３０を準備しておけばよい。そして、ステップＳ５０において、液体収容体の情報保持部３０からインクの情報を取得し、得られたインクの情報をこの物性テーブル６３０に照らし合せて、当該インクに対応する閾値の情報を取得するようにすれば良い。
【０１２４】
第２排出動作（ステップＳ８０）を実施した後、制御手段６００は、計時手段７００をリセットする（ステップＳ９０）。その後、ステップＳ５０に戻り、再度ステップＳ５０を実施する。
【０１２５】
一方、ステップＳ６０において、経過時間が閾値よりも小さく、第２排出動作が不要（ステップＳ６０でＮＯ）と判断した場合、制御手段６００は、残量検出手段５０から、液体収容室１０の液体の残量に関する情報を取得する。そして、制御手段６００は、この情報に基づいて、液体収容室１０内の液体残量が所定量以上であるか否かの判定を行う（ステップＳ７０）。判定の結果、液体収容室１０内の液体残量が所定量以上（ステップＳ７０でＹＥＳ）である場合には、再度ステップＳ５０に戻り、本フローを再開する。一方、ステップＳ７０の判定の結果、液体収容室１０内の液体残量が所定量未満（ステップＳ７０でＮＯ）である場合には、本フローを終了する。
【０１２６】
＜具体例３＞
具体例２のステップＳ５０において、制御手段６００は、計時手段７００にアクセスして経過時間の情報を取得する代わりに、記憶部６２０にアクセスして記憶部６２０が保持している時間の情報を取得する（ステップＳ５０）ようにしても良い。この時間の情報は、たとえば、前回の排出動作（初期排出動作または第２排出動作）が完了した時間（年月日や時刻）の情報である。この場合、第２排出動作の要否の判定（ステップＳ６０）は、ステップＳ５０で取得した時間の情報と、自らが保持している現在の時間の情報とを比較して、経過時間を算出し、この経過時間が閾値以上であるか否かによって、実施すれば良い。さらに、ステップＳ９０では、計時手段７００をリセットする代わりに、第２排出動作が完了した時間（年月日や時刻）の情報を記憶部６２０に記憶させればよい。
【０１２７】
２．２．２．所定の命令を実行する際のフロー
本フローは、上記の初期排出動作を含むフローが実行された後に行われるフローであり、初期排出動作が実行された後、プリンター１０００の電源ＯＮ、電源ＯＦＦ、記録動作命令、待機命令などを制御手段６００が受信した場合に実行されることが好ましいフローである。
【０１２８】
以下、本フローについて、図７のフローチャートを用いて説明する。
【０１２９】
まず、制御手段６００は、内圧測定手段７３０、計時手段７００、または記憶部６２０から情報を取得する（ステップＳ１００）。制御手段６００による本情報の取得は、電源ＯＮ、電源ＯＦＦ、記録動作命令の受信などの各種命令を受信した際に行うように設定することができる。
【０１３０】
次いで、制御手段６００は、気体排出手段４００による気体の排出の要否について判定処理を行う（ステップＳ１１０）。気体の排出が不要（ステップＳ１１０でＮＯ）と判断した場合には、制御手段６００は、スタート時に制御手段６００が受信した命令を実行して本フローを終了する。一方、気体の排出が必要（ステップＳ１１０でＹＥＳ）と判断した場合には、制御手段６００は、気体排出手段４００を動作させて気体排出動作を実行させる（ステップＳ１２０）。具体的には、制御手段６００は、弁４２０を開き、吸引機構４３０を駆動して、一定量の気体（または気体と液体との混合物）を排出させた後、弁４２０を閉じる。
【０１３１】
次いで、制御手段６００は、計時手段７００をリセットする。または、第２排出動作に関する時間の情報を記憶部６２０に記憶させる（ステップＳ１３０）。その後、スタート時に制御手段６００が受信した命令を実行して本フローを終了する。本フローでは、ステップＳ１３０をステップＳ１２０の後に実行しているが、これに限定されず、ステップＳ１３０をステップＳ１２０の前あるいは同時に実行してもよい。なお、計時手段７００のリセット、または記憶部６２０への情報の記録（ステップＳ１３０）は、次回、第２排出動作の実行の要否を決定するために実施される。次回の第２排出動作の実行の要否を決定するために、計時手段７００または記憶部６２０の情報を利用しない場合は、ステップＳ１３０を省略することが可能である。
【０１３２】
ステップＳ１３０を実施するタイミングとしては、例えば、ステップＳ１１０において制御手段６００が気体の排出が必要であると判断した時点であってもよいし、第２排出動作（ステップＳ１２０）を開始した時点（たとえば弁４２０を開いた時点や吸引機構４３０の駆動を開始した時点）であってもよいし、第２排出動作（ステップＳ１２０）が終了した時点（たとえば弁４２０を閉じた時点や吸引機構４３０の駆動を終了した時点）であってもよい。また、記憶部６２０には、これらのタイミングにおける時間（年月日や時刻）の情報を記憶させればよい。さらに、このような時間の情報を、液体収容体１００の情報保持部３０に記憶させるようにしてもよい。
【０１３３】
本フローは、具体的には、先に説明した図６のフローの具体例１〜具体例３におけるステップＳ５０をステップＳ１００に、ステップＳ６０をステップＳ１１０に、ステップＳ８０をステップＳ１２０に、ステップＳ９０をステップＳ１３０に適用することによって、実施することが可能である。
【０１３４】
２．３．その他の動作
本実施形態に係るプリンター１０００は、上記の各種動作に加えて、上述したガス導入動作やメンテナンス動作を実行することができる。これらの動作は、ユーザーからの実行命令に応じて実行されてもよいし、予め制御手段６００の記憶部６２０などに記憶された情報に基づいて実行されてもよい。
【０１３５】
本実施形態に係るプリンター１０００は、ヘッドにインクを供給するために使用される液体流路（液体流通路２０）と、液体収容室１０内部で発生した気体を排出するための気体流路（気体流通路４０）と、を別々に設けている。そのため、記録動作と気体排出動作を同時に実行することができる。これにより、記録動作中に液体収容室１０内部で気体が発生した場合であっても、記録動作を中断することなく液体収容体１００の外部に気体を排出することができる。
【０１３６】
本発明は、前述した実施形態に限定されるものではなく、種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０１３７】
１０…液体収容室、１１…フィルム、１２…成形体、２０…液体流通路、２２…液体流通口、４０…気体流通路、４２…気体流通口、５０…残量検出手段、１００，１１０，１２０，１３０，１００Ａ…液体収容体、１５０…カートリッジホルダー、２００…液体供給管、２８０…キャップ、３００…記録手段、３１０…記録ヘッド、３３０…駆動機構、４００…気体排出手段、４００Ａ…自己開閉弁、４１０…気体排出管、４２０…弁、４３０…吸引機構、６００…制御手段、６１０…ＣＰＵ、６３０…物性テーブル、７００…計時手段、７３０…内圧測定手段、８００…メンテナンス手段、９００…ホスト装置、９１０…ＣＰＵ、９２０…記憶部、９３０…表示部、１０００…インクジェットプリンター。
【図１】
2015024653.tif 000003
【図２】
2015024653.tif 000004
【図３】
2015024653.tif 000005
【図４】
2015024653.tif 000006
【図５】
2015024653.tif 000007
【図６】
2015024653.tif 000008
【図７】
2015024653.tif 000009